(57)【要約】【課題】長期に亘って、効率よく、空気を清浄化できる空気清浄装置、及びその制御方法を提供する。【解決手段】吸気口２１と吹出口２２とを有する空気流通路２と、吸気口２１から空気流通路２に空気を取り込み、取り込んだ空気を吹出口２２から外部に送り出す送風手段３と、空気流通路２に設けられ、吸気口２１から取り込んだ空気を温風にする温風発生部２５とを備えた空気清浄装置であって、空気流通路２の温風発生部２５よりも上流側にオゾン発生装置５を設けた。【選択図】図１
2008125742.tif 000002
【特許請求の範囲】
【請求項１】
吸気口と吹出口とを有する空気流通路と、前記吸気口から前記空気流通路に空気を取り込み、取り込んだ空気を前記吹出口から外部に送り出す送風手段と、前記空気流通路に設けられ、前記吸気口から取り込んだ空気を温風にする温風発生部とを備えた空気清浄装置であって、
前記空気流通路の前記温風発生部よりも上流側にオゾン発生装置を設けた空気清浄装置。
【請求項２】
前記空気流通路は、前記吸気口から取り込んだ空気を加熱手段によって加熱した加熱空気として流通させる加熱空気流通路と、前記吸気口から取り込んだ空気を前記温風発生部に導き、前記加熱空気を希釈して温風にする希釈用空気として流通させる希釈用空気流通路とを備え、前記オゾン発生装置を前記希釈用空気流通路の前記温風発生部よりも上流側に設けた請求項１に記載の空気清浄装置。
【請求項３】
前記空気流通路は、前記吸気口から取り込んだ空気を加熱手段によって加熱した加熱空気として流通させる加熱空気流通路と、前記吸気口から取り込んだ空気を前記温風発生部において前記加熱空気を希釈して温風にする希釈用空気として流通させる希釈用空気流通路とを備え、空気を内部に通過させることによって加熱する筒状の蓄熱部材を、一端が前記吸気口に臨み、他端が前記希釈用空気流通路に臨むように前記加熱空気流通路に配置し、前記オゾン発生装置を前記蓄熱部材の一端に設けた請求項１に記載の空気清浄装置。
【請求項４】
前記空気流通路は、温風を流通させる温風流通路を備え、当該温風流通路に前記蓄熱部材を温風が内部を通過できるように配置した請求項２または３に記載の空気清浄装置。
【請求項５】
前記蓄熱部材は、内部にハニカム構造を有する請求項３または４に記載の空気清浄装置。
【請求項６】
前記吹出口のオゾンの濃度を検知するオゾンセンサと、当該オゾンセンサによって検知したオゾンの濃度に基づき、前記オゾン発生装置のオゾンの発生量を制御する制御部とを設けた請求項１〜５のいずれか１項に記載の空気清浄装置。
【請求項７】
前記温風発生部の温度を検知する温度センサと、当該温度センサによって検知した温度に基づき、前記オゾン発生装置のオゾンの発生量を制御する制御部とを設けた請求項１〜５のいずれか１項に記載の空気清浄装置。
【請求項８】
前記吹出口のオゾンの濃度を検知するオゾンセンサと、前記温風発生部の温度を検知する温度センサと、前記オゾンセンサによって検知したオゾンの濃度、及び前記温度センサによって検知した温度に基づき、前記オゾン発生装置のオゾンの発生量を制御する制御部とを設けた請求項１〜５のいずれか１項に記載の空気清浄装置。
【請求項９】
請求項６に記載の空気清浄装置の制御方法であって、前記オゾンセンサによって検知するオゾンの濃度が０．１ｐｐｍを越えないように、オゾンの発生量を制御する空気清浄装置の制御方法。
【請求項１０】
請求項７に記載の空気清浄装置の制御方法であって、前記温度センサによって検知する温度が３００℃以上の場合に、前記オゾン発生装置を駆動する空気清浄装置の制御方法。
【請求項１１】
請求項８に記載の空気清浄装置の制御方法であって、前記温度センサによって検知する温度が３００℃以上の場合に、前記オゾン発生装置を駆動し、前記オゾンセンサによって検知するオゾンの濃度が０．１ｐｐｍを越えないように、オゾン発生量を制御する空気清浄装置の制御方法。
【発明の詳細な説明】
【技術分野】
【０００１】
本発明は、吸気口と吹出口とを有する空気流通路と、前記吸気口から前記空気流通路に空気を取り込み、取り込んだ空気を前記吹出口から外部に送り出す送風手段と、前記空気流通路に設けられ、前記吸気口から取り込んだ空気を温風にする温風発生部とを備えた空気清浄装置、及びその制御方法に関する。
【背景技術】
【０００２】
従来、室内の空気を清浄化する空気清浄装置としては、光触媒によって脱臭するものが知られている（例えば、特許文献１参照）。このような空気清浄装置では、酸化チタン等の光触媒を表面に設けた活性炭等の吸着剤に、室内の空気の臭気成分を吸着させた後、紫外線等の光を光触媒に照射して光触媒を励起させる。これにより、ＯＨラジカル等のラジカルが発生し、このラジカルの酸化作用によって臭気成分や細菌、カビ等を分解することができる。
【０００３】
一方、オゾンは触媒等により分解すると、ラジカル等が発生し、臭気成分等を分解できることが知られている。これまで、オゾンの分解による脱臭効果を利用した空気清浄装置について検討されており、この種の空気清浄装置として、オゾン発生装置とオゾン分解触媒とを設けたものが提案されている（例えば、特許文献２参照）。この空気清浄装置によれば、オゾン発生装置により発生させたオゾンをオゾン分解触媒によって分解し、Ｏラジカル等を発生させることにより、空気中の臭気成分等を分解することができる。
【０００４】
【特許文献１】特開平１−２３４７２９号公報
【特許文献２】実開平２−２５０３５号公報
【発明の開示】
【発明が解決しようとする課題】
【０００５】
しかし、特許文献１に記載された空気清浄装置では、光触媒の表面に、細菌、カビ等が死滅したものや粉塵等が堆積したり、光触媒自体が劣化したりすることによって、経年的にラジカルの発生量が低下する虞があった。
また、光触媒に対するラジカルの発生量は限られているため、臭気成分等の量が多くなると、分解効率が低下するという問題もあった。
【０００６】
特許文献２に記載された空気清浄装置では、オゾン分解触媒が劣化することによって、活性酸素の発生量が低下し、臭気成分等の分解効率が低下するという問題があった。
【０００７】
本発明は上記の問題に鑑みて案出されたものであり、長期に亘って、効率よく、空気を清浄化できる空気清浄装置、及びその制御方法を提供することを目的とするものである。
【課題を解決するための手段】
【０００８】
上記目的を達成するための本発明に係る空気清浄装置の第１特徴構成は、吸気口と吹出口とを有する空気流通路と、前記吸気口から前記空気流通路に空気を取り込み、取り込んだ空気を前記吹出口から外部に送り出す送風手段と、前記空気流通路に設けられ、前記吸気口から取り込んだ空気を温風にする温風発生部とを備えた空気清浄装置であって、前記空気流通路の前記温風発生部よりも上流側にオゾン発生装置を設けた点にある。
【０００９】
オゾンは加熱されると、熱分解し、Ｏラジカル、ＨＯ2ラジカル、ＯＨラジカル等を発生する。本構成に係る空気清浄装置では、オゾン発生装置によって発生させたオゾンを、温風発生部において加熱し、熱分解させて、ラジカルを発生させる。したがって、本構成によれば、発生させたラジカルによって、空気中の臭気成分を分解し、細菌やカビ等を死滅させ、花粉等のアレルゲン物質を不活化することができるため、空気を清浄化することができる。
【００１０】
また、オゾンは温風を発生させる熱によって分解するため、触媒等のように劣化することがなく、ラジカルを安定して発生させることができ、長期に亘って空気を清浄化することができる。さらに、オゾンの発生量を調整することによって、ラジカルの発生量を制御することができるため、空気中の臭気成分等が多くなっても、効率よく清浄化することができる。
【００１１】
本発明に係る空気清浄装置の第２特徴構成は、前記空気流通路は、前記吸気口から取り込んだ空気を加熱手段によって加熱した加熱空気として流通させる加熱空気流通路と、前記吸気口から取り込んだ空気を前記温風発生部に導き、前記加熱空気を希釈して温風にする希釈用空気として流通させる希釈用空気流通路とを備え、前記オゾン発生装置を前記希釈用空気流通路の前記温風発生部よりも上流側に設けた点にある。
【００１２】
オゾンは高温になりすぎると、窒素酸化物（ＮＯX）等を発生する虞がある。本構成によれば、オゾンを希釈用空気流通路に発生させ、希釈用空気と共に温風発生部に導き、加熱空気と混合するため、オゾンが高温になりすぎることはない。このため、ＮＯX等を発生させることなく、ラジカルを発生させて空気を清浄化することができる。
【００１３】
本発明に係る空気清浄装置の第３特徴構成は、前記空気流通路は、前記吸気口から取り込んだ空気を加熱手段によって加熱した加熱空気として流通させる加熱空気流通路と、前記吸気口から取り込んだ空気を前記温風発生部において前記加熱空気を希釈して温風にする希釈用空気として流通させる希釈用空気流通路とを備え、空気を内部に通過させることによって加熱する筒状の蓄熱部材を、一端が前記吸気口に臨み、他端が前記希釈用空気流通路に臨むように前記加熱空気流通路に配置し、前記オゾン発生装置を前記蓄熱部材の一端に設けた点にある。
【００１４】
本構成によれば、蓄熱部材を加熱空気流通路に配置し、加熱手段によって加熱することで、内部をオゾンの熱分解に適した温度に保持することができる。したがって、オゾンを蓄熱部材の内部に通過させることにより、オゾンを効率良く熱分解してラジカルを発生させ、空気を清浄化することができる。
【００１５】
本発明に係る空気清浄装置の第４特徴構成は、前記空気流通路は、温風を流通させる温風流通路を備え、当該温風流通路に前記蓄熱部材を温風が内部を通過できるように配置した点にある。
【００１６】
本構成によれば、温風流通路に蓄熱部材を配置することにより、蓄熱部材の内部に熱を保持させることができる。このため、蓄熱部材の内部にオゾンを通過させることにより、オゾンの熱分解効率を向上させることができる。
【００１７】
本発明に係る空気清浄装置の第５特徴構成は、前記蓄熱部材は、内部にハニカム構造を有する点にある。
【００１８】
本構成によれば、オゾンとの接触面積が大きくなるため、オゾンに熱伝達し易くなり、オゾンの熱分解効率を向上させることができる。
【００１９】
本発明に係る空気清浄装置の第６特徴構成は、前記吹出口のオゾンの濃度を検知するオゾンセンサと、当該オゾンセンサによって検知したオゾンの濃度に基づき、前記オゾン発生装置のオゾンの発生量を制御する制御部とを設けた点にある。
【００２０】
本構成によれば、吹出口のオゾンの濃度によってオゾンの発生量を制御できるため、吹出口から室内に送り出されるオゾンの濃度を調整することができる。
【００２１】
本発明に係る空気清浄装置の第７特徴構成は、前記温風発生部の温度を検知する温度センサと、当該温度センサによって検知した温度に基づき、前記オゾン発生装置のオゾンの発生量を制御する制御部とを設けた点にある。
【００２２】
本構成によれば、温風発生部の温度に応じてオゾンの発生量を制御できるため、例えば、温風発生部の温度がオゾンの熱分解温度に達していない場合にはオゾンの発生量を低下させる等によって、熱分解されないまま室内に送り出されるオゾンの濃度を調整することができる。
【００２３】
本発明に係る空気清浄装置の第８特徴構成は、前記吹出口のオゾンの濃度を検知するオゾンセンサと、前記温風発生部の温度を検知する温度センサと、前記オゾンセンサによって検知したオゾンの濃度、及び前記温度センサによって検知した温度に基づき、前記オゾン発生装置のオゾンの発生量を制御する制御部とを設けた点にある。
【００２４】
本構成によれば、温風発生部の温度に応じてオゾンの発生量を制御できると共に、吹出口のオゾンの濃度によってオゾンの発生量を制御できるため、オゾンの発生量に対するラジカルの発生効率を制御することができ、室内に送り出されるオゾンの濃度を調整することができる。
【００２５】
本発明に係る空気清浄装置の制御方法の第１特徴手段は、前記空気清浄装置の制御方法であって、前記オゾンセンサによって検知するオゾンの濃度が０．１ｐｐｍを越えないように、オゾンの発生量を制御する点にある。
【００２６】
本手段によれば、吹出口のオゾンの濃度が０．１ｐｐｍを越えないようにオゾンの発生量を制御することにより、発生したオゾンを空気流通路内で熱分解して適切に消費することができると共に、室内に存在するオゾンを爆発限界濃度以下に保ち、空気清浄装置の安全性を向上させることができる。
【００２７】
本発明に係る空気清浄装置の制御方法の第２特徴手段は、前記空気清浄装置の制御方法であって、前記温度センサによって検知する温度が３００℃以上の場合に、前記オゾン発生装置を駆動する点にある。
【００２８】
オゾンの半減期は、３００℃において０．１秒以下である。空気流通路における空気の線速は３ｍ／秒程度である。本手段によれば、温度発生部の温度が３００℃以上の場合にオゾンを発生させるように制御することにより、空気流通路においてラジカルを発生させることができ、清浄化した温風を室内に送り出すことができる。そして、３００℃未満の場合にはオゾンを発生させないようにすることにより、オゾンが分解されないまま室内に送り出されることを抑制することができる。
【００２９】
本発明に係る空気清浄装置の制御方法の第３特徴手段は、前記空気清浄装置の制御方法であって、前記温度センサによって検知する温度が３００℃以上の場合に、前記オゾン発生装置を駆動し、前記オゾンセンサによって検知するオゾンの濃度が０．１ｐｐｍを越えないように、オゾン発生量を制御する点にある。
【００３０】
本手段によれば、温度発生部の温度が３００℃以上の場合にオゾンを発生させるように制御することにより、空気流通路においてオゾンが熱分解し、ラジカルを発生させることができるようにした上で、吹出口のオゾンの濃度が０．１ｐｐｍを越えないようにオゾンの発生量を制御する。これにより、発生したオゾンは空気流通路内でオゾンの発生量に対して効率よくラジカルを発生させることができると共に、室内に送り出されるオゾンの量を抑えて爆発限界濃度以下に保ち、空気清浄装置の安全性を向上させることができる。
【発明を実施するための最良の形態】
【００３１】
〔第一の実施形態〕
以下に、本発明に係る空気清浄装置の第一の実施形態について図面を参照して説明する。ここでは、本発明をガス燃焼式温風暖房機１に適用した場合を例として説明する。
【００３２】
本実施形態に係るガス燃焼式温風暖房機１は、図１に示すように、空気流通させる空気流通路２と、室内の空気を空気流通路２を介して対流させる送風手段としてのファン３とを備えて構成される。空気流通路２は、燃焼式温風暖房機１の後面に設けられた吸気口２１と前面の下部に設けられた吹出口２２とを有しており、ファン３が室内空気を、吸気口２１から空気流通路２に取り込み、吹出口２２から室内に送り出すことによって対流させる。
【００３３】
また、空気流通路２は、吸気口２１から取り込んだ空気を加熱手段４によって加熱した加熱空気として流通させる加熱空気流通路２３と、吸気口２１から取り込んだ空気を加熱空気を希釈して温風にするための希釈用空気として流通させる希釈用空気流通路２４と、発生した温風を流通させる温風流通路２６とを備える。希釈用空気流通路２４の吸気口２１の付近には、オゾンを発生させるオゾン発生装置５が設けてある。温風流通路２６の上流側には、加熱空気と希釈用空気とが合流する合流部２５が設けてあり、合流部２５において加熱空気と希釈用空気とが混合されることによって温風が発生する。このため、本実施形態では、加熱空気と希釈空気とが合流する合流部２５が、本発明における「温風発生部」である。
【００３４】
加熱手段４は、上方が開口して加熱空気流通路２３と連通する燃焼室４１と、燃焼室４１に収容されたガスバーナ４２とを備える。ガスバーナ４２は、従来公知のものと同様の構成であり、図示しないが、ガス管や燃焼用空気供給路等が接続してある。
【００３５】
温風流通路２６には、吹出口２２の付近のオゾンの濃度を検知するオゾンセンサ５１と、合流部２５における空気の温度を検知する温度センサ５２とが設けてある。オゾンセンサ５１及び温度センサ５２は、オゾン発生装置５が接続された制御部６と接続してあり、制御部６によって、オゾンセンサ５１が検知するオゾンの濃度、及び温度センサ５２が検知する温度に基づき、オゾン発生装置５のオゾン発生量を制御できるように構成してある。
【００３６】
本実施形態のガス燃焼式温風暖房機１は、運転を開始すると、ファン３が駆動して、室内の空気が吸気口２１から矢印で示すように取り込まれる。ガスバーナ４２は、ガス管（図示しない）から供給される燃料を、燃焼用空気供給路（図示しない）から取り込まれる燃焼用空気と共に燃焼させることにより点火される。点火されたガスバーナ４２の燃焼炎は、燃焼室４１の開口を介して、矢印Ｂに示すように加熱空気供給路２３に取り込まれた空気を加熱して加熱空気とする。矢印Ａに示すように希釈用空気流通路２４に取り込まれた希釈用空気は、加熱空気と合流部２５において合流し、加熱空気を希釈して、温風として吹出口２２から室内へ送り出される。
【００３７】
本実施形態のガス燃焼式温風暖房機１では、運転時にオゾン発生装置５を駆動させてオゾンを発生させる。発生したオゾンは、希釈用空気と共に合流部２５に導かれ、加熱空気によって加熱され、熱分解して、ラジカルを発生させる。発生したラジカルは、温風流通路２６の内において、臭気成分を分解し、細菌やカビ等を死滅させ、花粉等のアレルゲン物質を不活化させることができる。このようにして、室内の空気を取り込み、清浄化し、温風として室内に送り出すことができる。
【００３８】
また、本実施形態のガス燃焼式温風暖房機１は、吹出口２２の付近のオゾンの濃度、及び合流部２５における温度に基づいてオゾンの発生量を制御する。例えば、オゾンセンサ５１が検知する濃度が０．１ｐｐｍ以上の場合には、制御部６によって、オゾン発生装置５を停止、もしくはオゾンの発生量を低下させて、吹出口２２から室内に送り出されるオゾンの濃度が０．１ｐｐｍを越えないように制御する。これにより、室内に存在するオゾンを爆発限界濃度以下に保つことができ、安全性を向上させることができる。
【００３９】
温度センサ５２が検知する温度が３００℃未満の場合には、制御部６によって、オゾン発生装置５を停止する。オゾンの半減期は、図２に示すように、３００℃において０．１秒以下であり、４００℃において０．０１秒以下である。一方、ガス燃焼式温風暖房機１の一般的な風量は約２ｍ2／分であり、線速は約３ｍ／秒である。このため、温風流通路２６の長さが３０ｃｍ程度である場合には、合流部２５の温度が３００℃未満では、オゾンは分解されないまま室内に送り出されることになり、室内のオゾンの濃度が向上する。したがって、合流部２５の温度が３００℃未満ではオゾンの発生を停止し、３００℃以上の場合にオゾンを発生するように制御することにより、温風流通路５の内でオゾンを熱分解させることができ、分解によって発生したラジカルで空気を清浄化することができる。なお、温度センサ５２が検知する温度が４００℃以上の場合にオゾン発生装置５を駆動させるように制御すれば、温風流通路５において、ラジカルをより確実に発生させることができる。
【００４０】
このようなガス燃焼式温風暖房機１の制御方法の一例としては、温度センサ５２が検知する温度が３００℃未満の場合には、オゾン発生装置５を駆動させないようにし、温度が３００℃以上となった場合に、オゾン発生装置５を駆動させて、オゾンを発生させる。オゾン発生装置５を駆動させた場合には、オゾンセンサ５１によりオゾンの濃度を検知し、オゾンの濃度が０．１ｐｐｍ以上となった場合には、オゾン発生装置５を制御し、オゾンの発生量を低下させて０．１ｐｐｍを越えないようにする。これにより、オゾンの発生量に対して効率よくラジカルを発生させることができると共に、室内に送り出されるオゾンの量を抑えることができる。また、オゾンの濃度が０の場合には、オゾンが完全に分解されているため、オゾンの発生量を増加させることによって、ラジカルの発生量を増加させることもできる。
【００４１】
なお、その他のガス燃焼式温風暖房機１の構成、機能等については、従来公知の温風暖房機と同様である。
【００４２】
〔第二の実施形態〕
次に本発明に係る空気清浄装置の第二の実施形態について説明する。本実施形態では、図３に示すように、加熱空気流通路２３及び温風流通路２６のそれぞれに、ステンレス製の筒状の蓄熱部材７，８が設けてある。蓄熱部材７，８は、内部にハニカム構造を有し、空気が両端間において内部を流通可能に構成してある。蓄熱部材７は、加熱空気流通路２３において、一端が吸気口２１に臨み、他端が加熱空気流通路２３と希釈用空気流通路２４との隔壁を貫通して希釈用空気流通路２４に臨むように配置してあり、蓄熱部材７の一端の側にオゾン発生装置６が設けてある。蓄熱部材７の一端で発生させたオゾンは、矢印Ｃに示すように蓄熱部材７の内部を流通して希釈用空地流通路２４に送られる。蓄熱部材８は、温風流通路２６において、温風の流れに沿って配置してあり、温風は矢印Ｄに示すように蓄熱部材８の内部を経由して吹出口２２に送られる。その他の構成は、第一の実施形態と同様である。
【００４３】
オゾンは、上述の通り、高温にすることで熱分解し易くなるが、例えば、８００℃以上のように温度が高くなり過ぎると、窒素酸化物（ＮＯX）等が発生する虞がある。ガス燃焼式温風暖房機１における加熱空気流通路２３の温度は８００℃以上になる。このため、上記の第一の実施形態では、特に限定されるものではないが、好ましい態様として、オゾン発生装置５を希釈用空気流通路２４に設けた。本実施形態では、蓄熱部材７を加熱空気流通路２３に配置して内部をオゾンの熱分解に適した温度に保持させる。蓄熱部材７の内部にオゾンを通過させることによって、ＮＯX等の発生を抑えつつ、効率よく熱分解して、ラジカルを発生させることができる。また、蓄熱部材８を温風流通路２６に配置することにより、熱効率を向上させて、温風流通路２６においてもオゾンを熱分解し易くすることができる。
【００４４】
〔その他の実施形態〕
第一の実施形態においては、オゾン発生装置５を希釈用空気流通路２４の吸気口２１の付近に設けた場合を例として示したが、温風発生部である合流部２５よりも上流側であれば、特に限定されない。
【００４５】
第二の実施形態においては、加熱空気流通路２３と温風流通路２６とのそれぞれに蓄熱部材７，８を設けた場合を例として示したが、これに限らず、加熱空気流通路２３と温風流通路２６とのうち、いずれか一方のみに設けてもよい。また、第一の実施形態における温風流通路２６に蓄熱部材８を設けることもできる。
【００４６】
上記の各実施形態においては、オゾンセンサ５１と温度センサ５２とを設けた場合を例として説明したが、別に設けなくてもよく、またオゾンセンサ５１と温度センサ５２とのうち、いずれか一方のみを設けてもよい。
【００４７】
上記の各実施形態においては、本発明の空気清浄装置をガス燃焼式温風暖房機１に適用した場合を例として説明したが、これに限らず、加熱手段４として、石油バーナ、電気ヒータ等を用いた灯油燃焼式温風暖房機、電気温風暖房機等に適用することもできる。
また、空気流通路２として、加熱空気流通路２３と希釈用空気流通路２４との二つの流通路を設けた場合を例として説明したが、これに限らず、空気流通路２を一つの流通路として、空気流通路２の中に電気ヒータ等の加熱手段を設けて、空気を加熱手段に接触させながら流通させることもできる。なお、この場合には、空気は加熱手段と熱交換することにより温風となるため、この部分が温風発生部となる。
【産業上の利用可能性】
【００４８】
本発明に係る空気清浄装置は、吸気口と吹出口とを有する空気流通路と、前記吸気口から前記空気流通路に空気を取り込み、取り込んだ空気を前記吹出口から外部に送り出す送風手段と、前記空気流通路に設けられ、前記吸気口から取り込んだ空気を温風にする温風発生部とを備えた、様々な空気清浄装置に適用することができる。
【図面の簡単な説明】
【００４９】
【図１】第一の実施形態に係るガス燃焼式温風暖房機の概略断面図
【図２】オゾンの半減期と温度との関係を示すグラフ
【図３】第二の実施形態に係るガス燃焼式温風暖房機の概略断面図
【符号の説明】
【００５０】
１      ガス燃焼式温風暖房機
２      空気流通路
２１    吸気口
２２    吹出口
２３    加熱空気流通路
２４    希釈用空気流通路
２５    合流部（温風発生部）
２６    温風流通路
３      ファン（送風手段）
４      加熱手段
５      オゾン発生装置
５１    オゾンセンサ
５２    温度センサ
６      制御部
７，８  蓄熱部材
【図１】
2008125742.tif 000003
【図２】
2008125742.tif 000004
【図３】
2008125742.tif 000005